(57)【要約】【課題】高重量のパイプなどでも安全、確実に支持することができ、しかも、パイプの調整も容易にできる施工性の良いパイプ取付具を提供する。【解決手段】パイプ１０の外周面１１から外方に向けて突設された取付部１２にネジ３０止めする螺着片２２を先端に形成すると共に、壁面Ｈ等に固定された固定具４０の支持片４２に取付けされる取付板２２を前記螺着片２１より延設してパイプ取付具２０を構成し、  前記パイプ取付具２０の螺着片２１を前記パイプ１０の取付部１２にネジ３０止めすると共に、前記パイプ取付具２０の取付板２２を前記固定具４０の支持片４２に締結具５０にて取付けてなることを特徴とする。【選択図】図１
2008308828.tif 000002
【特許請求の範囲】
【請求項１】
パイプの外周面から外方に向けて突設された取付部にネジ止めする螺着片を先端に形成すると共に、壁面等に固定された固定具の支持片に取付けされる取付板を前記螺着片より延設してパイプ取付具を構成し、
前記パイプ取付具の螺着片を前記パイプの取付部にネジ止めすると共に、前記パイプ取付具の取付板を前記固定具の支持片に締結具にて取付けてなることを特徴とするパイプ取付構造。
【請求項２】
パイプの外周面から外方に向けて突設された取付部にネジ止めする螺着片を、壁面等に固定される固定具の支持片の先端に一体形成してパイプ取付具を構成し、
前記パイプ取付具の螺着片を前記パイプの取付部にネジ止めして取付けてなることを特徴とするパイプ取付構造。
【発明の詳細な説明】
【技術分野】
【０００１】
本発明は、パイプの外周面から外方に向けて突設された取付部を、壁面等に固定された固定具に取付けてなるパイプ取付構造に関する。
【背景技術】
【０００２】
従来、竪樋等のパイプを壁面等に取付けるためのパイプ取付構造として、前記パイプを環状のリング体で包持すると共に、このリング体の基端を壁面等に固定金具で固定するものが一般に知られている。
【０００３】
ところが、このような取付構造では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付構造が開発されている（例えば、特許文献１参照。）。
【０００５】
このパイプ取付構造によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付構造では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険があった。
【０００７】
又、施工時においては、壁面等に予め複数の取付具を固定したうえで、該取付具の先端に設けた挟着片にパイプの取付部を弾発的に挟持していくのであるが、壁面等に固定された前記取付具の位置が少しでもズレていると、前記パイプの取付部を前記挟着片に挟着することができず、施工が困難であるという問題もあった。
【０００８】
本発明は、かかる課題を解決することを目的とするもので、高重量のパイプなどでも安全、確実に支持することができ、しかも施工性の良いパイプ取付構造を提供する。
【課題を解決するための手段】
【０００９】
請求項１に係るパイプ取付構造は、パイプの外周面から外方に向けて突設された取付部にネジ止めする螺着片を先端に形成すると共に、壁面等に固定された固定具の支持片に取付けされる取付板を前記螺着片より延設してパイプ取付具を構成し、前記パイプ取付具の螺着片を前記パイプの取付部にネジ止めすると共に、前記パイプ取付具の取付板を前記固定具の支持片に締結具にて取付けてなることを特徴とする。
【００１０】
請求項２に係るパイプ取付構造は、パイプの外周面から外方に向けて突設された取付部にネジ止めする螺着片を、壁面等に固定される固定具の支持片の先端に一体形成してパイプ取付具を構成し、前記パイプ取付具の螺着片を前記パイプの取付部にネジ止めして取付けてなることを特徴とする。
【発明の効果】
【００１１】
本発明によれば、次のような効果がある。
【００１２】
請求項１に係るパイプ取付構造によれば、壁面等に固定された固定具の支持片に取付けたパイプ取付具の螺着片を、前記パイプの取付部にネジ止めして螺着する構造であるため、壁面等に固定された前記パイプ取付具の位置が多少ズレていても、前記取付部の許容範囲内であれば、前記螺着片を前記パイプの取付部にネジ止めでき、施工を容易に行うことができる。
【００１３】
又、パイプの取付部とパイプ取付具の螺着片とは、ネジ止めしているので、施工後のパイプががたついたり、外れたりする危険を確実に防止できる。
【００１４】
更に、前記パイプ取付具の取付板と前記固定具の支持片とは、締結具にて取付ける構造にしているため、パイプを確実に支持することができる。
【００１５】
そのため、高重量のパイプなどでも安全、確実に支持することができ、施工後のパイプががたついたり、外れたりする危険も確実に防止できる。
【００１６】
請求項２に係るパイプ取付構造によれば、螺着片の基端には、壁面等に固定される固定具の支持片を一体形成してパイプ取付具が構成されているので、請求項１と同様の効果が得られると共に、固定具を壁面等に固定するだけで、同時にパイプ取付具を固定でき、部品点数を減少してコストダウンを図ることができるうえ、施工を更に容易にできる。
【発明を実施するための最良の形態】
【００１７】
以下、本発明に係るパイプ取付構造を図面とともに説明する。
【実施例１】
【００１８】
図１は、本発明に係るパイプ取付構造Ａの一実施例を示した分解斜視図であり、図２（ａ）、（ｂ）は、図１で示したパイプ取付構造Ａの施工状態を概略した斜視図である。
【００１９】
このパイプ取付構造Ａは、パイプ１０、パイプ取付具２０、ネジ３０、固定具４０、締結具５０を備えてなる。
【００２０】
パイプ１０は、外周面１１の背面側から外方に向けて突設された取付部１２を長手方向に形成している。
【００２１】
本実施例のパイプ１０は、円筒状に形成すると共に、外周面１１の背面側に断面三角状の取付部１２を一体形成したものを例示しているが、パイプ１０の形状としては、図例のものに限定されず、例えば、四角筒状に形成したもの、三角筒状に形成したものでも構わない。
【００２２】
また、取付部１２の形状についても図例のものに限定されず、例えば、断面四角形状のものや、多角形状に形成することも可能であり、この取付部１２を後述するパイプ取付具２０の螺着片２１にネジ止めできる形状であれば採用できる。
【００２３】
パイプ取付具２０は、取付部１２の幅と略同じ長さに形成した板状の螺着片２１を前記取付部１２の正面に平行に形成すると共に、螺着片２１の基端を直交方向に折り曲げて板状の取付板２２を延設している。
【００２４】
螺着片２１の中央には、ネジ３０が貫通する取付孔２１ａを開設しており、この取付孔２１ａを通じて、ネジ３０が螺着片２１と取付部１２とを確実に螺着できるようにしている。
【００２５】
又、取付板２２には、上、下方向に向けて長孔２２ａを開設しており、壁面Ｈ等に固定される固定具４０の支持片４１に対して、パイプ取付具２０が上、下方向に位置を調整できるようにしている。
【００２６】
なお、図示しないが、取付板２２の長孔２２ａは、パイプ取付具２０の位置調整が必要なければ単孔に形成すれば良く、又、取付板２２の長孔２２ａを前、後方向（壁面Ｈとパイプ１０の方向）に開設すれば、パイプ取付具２０を前、後方向に位置を調整できることは勿論である。
【００２７】
ネジ３０は、前記の通り、取付孔２１ａを通じて、螺着片２１と取付部１２とを確実に螺着できるものであれば良く、タッピングネジ等で取付部１２に揉み込んで螺着するのが好ましい。
【００２８】
固定具４０は、壁面Ｈ等に固定するための固定部４１を設け、前方に向けて板状の支持片４２を一体形成してなる。
【００２９】
本実施例の固定部４１は、壁面Ｈ等に埋設して固定されるボルト軸を例示しているが、この固定部４１は、固定具４０を壁面Ｈ等に確実に固定できるものであれば良く、例えば、ボルト、ナットや、ネジ等による固定手段、釘等による固定手段であっても構わない。
【００３０】
支持片４２には、取付板２２の長孔２２ａに重合される長孔４３を前、後に向けて開設しており、壁面Ｈ等に固定された固定具４０の支持片４２に対して、パイプ取付具２０を前、後方向に移動させてパイプ取付具２０の出具合を調整できるようにしている。
【００３１】
締結具５０は、ボルト５１及びナット５２で構成しているが、パイプ取付具２０の取付板２２及び固定具４０の支持片４２を固着可能なものであれば、本実施例で示したボルト５１、ナット５２以外の構成による締結具５０を採用することも可能である。
【００３２】
以上のように構成した本発明に係るパイプ取付構造Ａは、以下の要領で施工する。
【００３３】
先ず、壁面Ｈ等の適所にアンカー（不図示）等を埋設し、このアンカー（不図示）等に固定具４０の固定部４１を螺合して、複数の固定具４０を所定間隔で壁面Ｈ等に固定する。
【００３４】
次に、パイプ取付具２０の螺着片２１をパイプ１０の取付部１２の所望位置に接合すると共に、タッピングネジ等のネジ３０を取付孔２１ａに貫通させて取付部１２に揉み込んで螺着し、パイプ１０とパイプ取付具２０を確実に固定する〔（図２（ａ）参照。〕。
【００３５】
そして、固定した固定具４０の支持片４２の一側面に、パイプ取付具２０の取付板２２を添接し、両者の長孔２２ａ、４３を重合させたうえで、これら長孔２２ａ、４３の一方からボルト５１を貫通し、他方からナット５２を軽く締め付けて（仮締めして）、パイプ１０を仮支持する。
【００３６】
最後に、パイプ１０の上、下位置及び出具合（前、後位置）を所望の位置に調節した後、仮締めしていた締結具５０のナット５２を確実に締付けて（本締めして）施工を完了するのである〔（図２（ｂ）参照。〕。
【００３７】
このように、本発明に係るパイプ取付構造Ａによれば、壁面Ｈ等に固定された固定具４０の支持片４２に取付けたパイプ取付具２０の螺着片２１を、パイプ１０の取付部１２にネジ３０止めして螺着する構造であるため、壁面Ｈ等に固定されたパイプ取付具２０の位置が多少ズレていても、取付部１２の許容範囲内であれば、螺着片２１をパイプ１０の取付部１２にネジ３０止めでき、施工を容易に行うことができる。
【００３８】
又、パイプ１０の取付部１２とパイプ取付具２０の螺着片２１とは、ネジ３０止めしているので、施工後のパイプ１０ががたついたり、外れたりする危険を確実に防止できる。
【００３９】
更に、パイプ取付具２０の取付板２２と固定具４０の支持片４２とは、締結具５０にて取付ける構造にしているため、締付具５０を締付けてパイプ１０を確実に支持することができる。
【００４０】
そのため、高重量のパイプ１０などでも安全、確実に支持することができ、施工後のパイプ１０ががたついたり、外れたりする危険も確実に防止できる。
【実施例２】
【００４１】
図３は、本発明に係るパイプ取付構造Ａの他の実施例を示した分解斜視図である。
【００４２】
ここで、図１、２と共通する部材には、同一の符号を付して重複する説明を省略し、以下では、本実施例の特徴についてのみ説明する。
【００４３】
このパイプ取付構造Ａは、パイプ１０の外周面１１から外方に向けて突設された取付部１２にネジ３０止めする螺着片２１を、壁面Ｈ等に固定される固定具４０の支持片４２の先端に一体形成してパイプ取付具２０を構成し、このパイプ取付具２０の螺着片２１をパイプ１０の取付部１２にネジ３０止めして取付けてなる構造にしている。
【００４４】
このようなパイプ取付構造Ａによれば、螺着片２１の基端には、壁面Ｈ等に固定される固定具４０の支持片４２を一体形成してパイプ取付具２０が構成されているので、請求項１と同様の効果が得られると共に、固定具４０を壁面Ｈ等に固定するだけで、同時にパイプ取付具２０を固定でき、部品点数を減少してコストダウンを図ることができるうえ、施工を更に容易にできる。
【図面の簡単な説明】
【００４５】
【図１】本発明に係るパイプ取付具Ａの一実施例を示した分解斜視図である。
【図２】（ａ）、（ｂ）は、図１で示したパイプ取付構造Ａの施工状態を概略した斜視図である。
【図３】本発明に係るパイプ取付構造Ａの他の実施例を示した分解斜視図である。
【符号の説明】
【００４６】
Ａ    パイプ取付構造
Ｈ    壁面
１０  パイプ
１１  外周面
１２  取付部
２０  パイプ取付具
２１  螺着片
２２  取付板
３０  ネジ
４０  固定具
４２  支持片
５０  締結具
【図１】
2008308828.tif 000003
【図２】
2008308828.tif 000004
【図３】
2008308828.tif 000005
【手続補正書】
【提出日】平成20年8月19日(2008.8.19)
【手続補正１】
【補正対象書類名】明細書
【補正対象項目名】００２３
【補正方法】変更
【補正の内容】
【００２３】
パイプ取付具２０は、取付部１２の幅と略同じ幅に形成した板状の螺着片２１を前記取付部１２の正面に平行に形成すると共に、螺着片２１の基端を直交方向に折り曲げて板状の取付板２２を延設している。
【手続補正２】
【補正対象書類名】明細書
【補正対象項目名】００２５
【補正方法】変更
【補正の内容】
【００２５】
又、取付板２２には、上、下方向に向けて長孔２２ａを開設しており、壁面Ｈ等に固定される固定具４０の支持片４２に対して、パイプ取付具２０が上、下方向に位置を調整できるようにしている。
【手続補正３】
【補正対象書類名】明細書
【補正対象項目名】００３９
【補正方法】変更
【補正の内容】
【００３９】
更に、パイプ取付具２０の取付板２２と固定具４０の支持片４２とは、締結具５０にて取付ける構造にしているため、締結具５０を締付けてパイプ１０を確実に支持することができる。
【手続補正４】
【補正対象書類名】図面
【補正対象項目名】図２
【補正方法】変更
【補正の内容】
【図２】
2008308828.tif 000006